(57)【特許請求の範囲】
【請求項１】
ケース部２０を有するトロヨケＣと、このトロヨケに固定され、かつ、引戸１の側端部に設けられたフロント２と対向するストライク本体Ａと、このストライク本体Ａの窓部１２に対して上下方向に間隙を有して係合する鎌片用の端面コ字型の枠状掛け止め部１７を有する補助ストライクＢとから成る鎌片係合用のストライク装置であって、前記補助ストライクＢは、左右の垂直側壁と、垂直側壁の前部から突出するコ字型枠状掛け止め部と、垂直側壁の後部から突出する上下左右の鉤状係合部とから成り、また、前記トロヨケは、そのケース部２０の固定背面２４に垂直方向の調整長孔２８を上下左右に有すると共に固着具３１用の垂直長孔２７を有し、さらに、前記調整長孔２８とそれぞれ符合する複数個の裏板調整長孔３３を有する長板状の位置調整用固定裏板Ｄを前記ケース部２０の固定背面２４に前記固着具３１を介して添設状態に固定し、トロヨケＣと補助ストライクＢとストライク本体Ａとを組み合わせると、前記補助ストライクの後部側の前記鉤状係合部１９は、前記調整長孔２８並びに前記裏板調整長孔３３に係合し、一方、前部側の前記コ字型枠状掛け止め部１７は、ストライク本体Ａの幅広係合窓１３から食み出るように係合し、加えて、該補助ストライクは、前記固着具３１を緩めることにより、上下方向に位置調整可能であることを特徴とする鎌片係合用のストライク装置。
【請求項２】
請求項１に於いて、コ字型枠状掛け止め部１７は、左右の垂直側壁１６，１６の前部から突出する左右の対向側壁１７ａ，１７ａと、これらの対向側壁に交差状に連設する垂直壁１７ｂを有し、前記対向側壁１７ａ，１７ａの幅寸法Ｗは、鎌片５の厚さの２倍以上ないし５倍以内に設定されていることを特徴とする鎌片係合用のストライク装置。
【請求項３】
請求項１に於いて、ストライク本体Ａの上下端部とトロヨケＣの上下の取付け部との間には、上下一対の筒状ブロック１５が介設されていることを特徴とする鎌片係合用のストライク装置。
【発明の詳細な説明】
【０００１】
【発明の属する技術分野】
本発明は、鎌片を備えた引戸に対して適する鎌片係合用のストライク装置に関する。
【０００２】
【従来の技術】
図１５は、本発明の出現が期待される理由の一つを示す説明図である。図１５の（ａ）で示すように、引戸５１側のフロント板５２の前面と戸枠５３の縦枠５４との間には、一定のクリアランス（例えば３ｍｍ，５ｍｍなど）５５が設定されている。図１５の（ａ）で示すように、引戸５１の側端部上部側のクリアランスと、その側端部下部側のクリアランスが、例えば「それぞれ５ｍｍ程度」であれば、建付けに歪みがなく、いわゆる正常である。但し、この場合であっても、縦枠５４に取付けられたストライク５６に対する鎌片５７の上下方向のかかり具合が悪い時は、引戸５１の下端部に設けられた複数個の滑車５８，５８の高さを適宜に調整する必要がある。
【０００３】
また、戸枠５３に歪みがなく、当初は正常であっても、引戸１を長い間使用しているうちに、例えば図１５の（ｂ）で示すように建付けに歪みが生じ、その結果、戸枠が平行四辺形的に変形した場合には、ストライク５６の掛止め部に鎌片５７がうまくかみ合わないことが起きる。そこで、滑車の高さを任意に調整し、歪んだ戸枠に対応して引戸５１を前又は後ろへ多少傾倒状態にする必要がある。このような場合、前後の滑車の高さを微調整する必要があると共に、滑車の高さ調整如何によってはストライク５６に対する鎌片５７のかかり具合が不十分となってしまう。
【０００４】
【発明が解決しようとする課題】
本発明は、以上のような従来の問題点に鑑み、第１の目的は、戸枠が多少歪んでも、ストライクに対する鎌片のかかり具合が良好である鎌片係合用のストライク装置を提供することである。特に、補助ストライクと鎌片との引戸厚さ方向の係合関係において、「いわゆる横ズレ（横方向の偏心）の状態」が発生しても、鎌の先端部が十分に係合することである。また、ストライク装置を戸枠に取付ける当初から当該戸枠に歪みが生じている場合には、トロヨケに対する補助ストライクの上下方向の位置を予め調整するとこによって、滑車の高さ調整等を不要にすることができるようにする。
【０００５】
第２の目的は、戸枠の平行四辺形的な歪みが生じても、場合によってはトロヨケに対する補助ストライクの上下方向の固定位置を再調整することにより、相変わらずそのままストライク本体を良好に使用することができることである。第３の目的は、ストライク本体或いはトロヨケに対する補助ストライクの調整を合理的な構成により容易に行なうことができることである。その他の目的は、引戸を閉める際に鎌錠の衝突杆が戸枠側に当ることによって鎌片が自動的に係合方向へ回転する鎌錠に適合するストライク装置を提供することである。
【０００６】
【課題を解決するための手段】
本発明の鎌片係合用のストライク装置は、ケース部２０を有するトロヨケＣと、このトロヨケに固定され、かつ、引戸１の側端部に設けられたフロント２と対向するストライク本体Ａと、このストライク本体Ａの窓部１２に対して上下方向に間隙を有して係合する鎌片用の端面コ字型の枠状掛け止め部１７を有する補助ストライクＢとから成る鎌片係合用のストライク装置であって、前記補助ストライクＢは、左右の垂直側壁と、垂直側壁の前部から突出するコ字型枠状掛け止め部と、垂直側壁の後部から突出する上下左右の鉤状係合部とから成り、また、前記トロヨケは、そのケース部２０の固定背面２４に垂直方向の調整長孔２８を上下左右に有すると共に固着具３１用の垂直長孔２７を有し、さらに、前記調整長孔２８とそれぞれ符合する複数個の裏板調整長孔３３を有する長板状の位置調整用固定裏板Ｄを前記ケース部２０の固定背面２４に前記固着具３１を介して添設状態に固定し、トロヨケＣと補助ストライクＢとストライク本体Ａとを組み合わせると、前記補助ストライクの後部側の前記鉤状係合部１９は、前記調整長孔２８並びに前記裏板調整長孔３３に係合し、一方、前部側の前記コ字型枠状掛け止め部１７は、ストライク本体Ａの幅広係合窓１３から食み出るように係合し、加えて、該補助ストライクは、前記固着具３１を緩めることにより、上下方向に位置調整可能であることを特徴とする。
【０００７】
上記構成に於いて、コ字型枠状掛け止め部１７は、左右の垂直側壁１６，１６の前部から突出する左右の対向側壁１７ａ，１７ａと、これらの対向側壁に交差状に連設する垂直壁１７ｂを有し、前記対向側壁１７ａ，１７ａの幅寸法Ｗは、鎌片５の厚さの２倍以上ないし５倍以内に設定されていることを特徴とする。
【０００８】
また、ストライク本体Ａの上下端部とトロヨケＣの上下の取付け部との間には、上下一対の筒状ブロック１５が介設されていることを特徴とする。
【０００９】
【発明の実施の形態】
図１乃至図１４により本発明の一実施例を説明する。まず図１は発明の実施の環境を示す説明図である。図１に於いて、１は引戸、２は引戸の側端部に取付けられたフロント板、３はフロント板２と接合する錠前裏板４を介して該フロントに一体化された錠箱である。錠箱３には、指状（鉤状）の先端部５ａを有する鎌片５が設けられている。また錠箱３には、フロント板２から出た鎌片５を施錠する施・解錠機構が内装されている（ここでは図示しない）。
【００１０】
ところで、前記引戸１は、後述する鎌片係合用のストライク装置Ｘが取付けられている物が「相手側の引戸」である場合には、召し合わせタイプの一方側の引戸となる。また、ストライク装置Ｘが取付けられている物が「戸枠」である場合には、戸枠の縦枠に対する引戸となる。いずれにしても、ストライク装置Ｘは、引戸１側のフロント板２に対向するように相手側の引戸の側端部又は戸枠の縦枠の空洞内に組み込まれる。本実施例では、ストライク装置Ｘを戸枠の縦枠６に取付けた例で説明する。
【００１１】
図１で示すように、フロント板２と戸枠の縦枠６との間には、一定のクリアランス（例えば３ｍｍ，５ｍｍなど）７が設けられている。これは、例えば引戸１を長い間使用しているうちに、建付けに歪みが生じ、その結果、ストライクの受け部に鎌片５がうまくかみ合わないことが起きるからである。
【００１２】
次に図２はストライク装置Ｘの斜視図、図３はストライク装置Ｘの分解斜視図、図４ないし図１３はストライク装置Ｘを構成する各部材の説明図である。以下、これらの図を参照に構成部材を順番に説明する。
【００１３】
Ａは縦長板状のストライク本体で、このストライク本体Ａは引戸側のフロント板２と対向する前面板に相当する。図６及び図７がストライク本体Ａの各説明図である。１０はストライク本体の上下端部に形成されたビス（固着具）１１用孔、１２はストライク本体のビス用孔１０，１０間に形成されたＴ字型の窓部である。Ｔ字型窓部１２は、本実施例では、次に説明する補助ストライクＢの鎌片用枠状掛け止め部が係合する矩形状の幅広係合窓１３と、この係合窓１３に連通し、かつ鎌片５の先端部５ａが入り込む幅狭の挿入窓１４から成っている。
【００１４】
図３で示す符号１５は、ストライク本体Ａの上下端部と後述するトロヨケＣの上下の耳状取付け部との間に介設される上下一対の筒状ブロックで、これらの筒状ブロック１５には前述したビス１１が貫通状態にそれぞれ入り込む。筒状ブロック１５は、ストライク本体ＡとトロヨケＣとの間に補助ストライクＢを組み込むための収納空間を設定する部材であるから、その外壁形状は、角型、円形型など特に問わない。
【００１５】
Ｂは補助ストライクで、この補助ストライクＢは、ストライク本体Ａの裏側に於いて上下方向に位置調整可能に係合配設され、かつストライク本体Ａの挿入窓１４から入り込んだ鎌片５の先端部５ａを受ける掛合部材としての役割を果す。
図８及び図９が補助ストライクＢの各説明図である。図８を基準にすると、１６は左右の垂直側壁で、これらの垂直側壁１６は、図５で示すようにストライク本体Ａよりも短く、ストライク本体Ａに組み込んだ際には上下の筒状ブロック１５，１５に対して十分な間隙が出来るようにその長さを設定してある。
【００１６】
１７は垂直側壁１６，１６の前部の上端部寄り部位から突出する鎌片用の平面コ字型状の枠状掛け止め部である。この鎌片用掛け止め部１７の幅寸法Ｗについて、図８を参照にさらに説明する。今仮に建付けに歪みが生じた場合、その歪みが引戸の走行方向と交差する引戸の厚さ方向の傾きであるとする。この場合鎌片５の厚さに対して枠状掛け止め部１７の左右対向側壁１７ａ，１７ａ間の幅寸法Ｗに余裕がない場合（幅寸法Ｗが若干大きいだけであるならば）、鎌片５の先端部５ａが枠状掛け止め部１７にうまくかみ合わない事態が生じる。
【００１７】
そこで、本実施例では、補助ストライクＢと鎌片５との引戸厚さ方向の係合関係において、「いわゆる横ズレ（横方向の偏心）の状態」が発生しても、鎌５の先端部５ａが十分に係合することができるように枠状掛け止め部１７の幅寸法Ｗを、鎌片５の厚さの２倍以上ないし５倍以内に設定した。
【００１８】
枠状掛け止め部１７は、図４及び図５で示すようにストライク本体Ａの幅広係合窓１３から食み出るように係合する。この場合、枠状掛け止め部１７の左右対向側壁１７ａ，１７ａと直交する垂直壁１７ｂに鎌片５の先端部５ａが係合する訳であるが、建付けの歪みが前記横ズレとは相違し、或いは横ズレと共に引戸の高さ方向の傾き、「いわゆる縦ズレ（縦方向の偏心）の状態」も当然有り得る。この場合、従来技術の欄で説明したように、戸枠の歪みに対応して引戸を前後方向に傾ければ良いのであるが。しかし、滑車の高さ調整は面倒である。
そこで、本実施例では、図５で示すように、ストライク本体Ａの幅広係合窓１３の縦寸法は、枠状掛け止め部１７のそれよりも大き目に設定してある。それ故に、枠状掛け止め部１７の上下の辺と幅広係合窓１３の上下縁との間に所要の間隙１８，１８が存する。
【００１９】
このように補助ストライクＢの垂直側壁１６，１６の前部（前側面）にはストライク本体Ａと係合する端面コ字型の掛け止め部１７が突出形成されているが、これに対し、垂直側壁１６，１６の後部（後側面）にはトロヨケＣと係合する鉤状の係合部１９が複数個突出形成されている。
【００２０】
Ｃは前面開口のケース部２０を有するトロヨケで、このトロヨケＣは、ケース部２０から上下に延びた耳状取付け部２１，２１、上下の筒状ブロック１５，１５、固着手段としてのビス１１を介してストライク本体Ａの裏面に一体化される固定部材である。
【００２１】
図１０及び図１１がトロヨケＣの各説明図である。図１０を基準にすると、２２は上下の耳状取付け部２１，２１にそれぞれ形成されたメネジ孔で、これらのメネジ孔２２，２２は長杆状のビス１１と螺合する。
２３は左右の固定側壁で、これらの固定側壁２３，２３の後端面には交差方向に固定背面２４が連設している。固定背面２４には、補助ストライクＢ並びに該補助ストライクＢに一体化される位置調整用裏板Ｄとの係合関係を考慮し、複数個の孔が設けられている。
【００２２】
すなわち、２６は固定背面２４の上部に形成され、かつ、矩形状固定裏板Ｄのストッパーが入り込む透孔である。２７は固定背面２４の下部寄り部位に形成された固着具挿通用の垂直長孔である。２８は補助ストライクＢの上下位置を調整するための調整長孔で、本実施例では補助ストライクＢの鉤状係合部１９の突出位置に対応して合計４個形成されている。
【００２３】
最後にＤはトロヨケＣの固定背面２４の外壁面に添設され、かつ、固着具３１を介して補助ストライクＢと共に該トロヨケＣの固定背面２４に固定される位置調整用固定裏板である。この固定裏板Ｄは、施錠時における鎌片５と枠状掛け止め部１７との係合具合（前述したクリアランス）を考慮して補助ストライクＢの上下位置を調整した後に、前記固着具３１を介して補助ストライクＢ並びに固定背面２４に一体化される。そのために、本実施例では、図１２及び図１３で示すように、前述した垂直長孔２７と符合し、かつ、固着具３１が螺合するメネジ部３２を有する。また、前述した４個の調整長孔２８と符合する裏板調整長孔３３を有する。さらに、上端部中央に前述した透孔２６に入り込むストッパー３４が形成されている。
【００２４】
上記構成に於いて、各部材の組み合わせについて説明する。図３に示す分解状態から図２に示す組み合わせ状態にする場合には、まず、補助ストライクＢの鉤状係合部１９をトロヨケＣの調整長孔２８に入れる。次に固定裏板Ｄの裏板調整長孔３３に前記鉤状係合部１９を通す。この時固定裏板Ｄは、後先を問わず、ストッパー３４を透孔２６に通し、補助ストライクＢの固定背面２４の外壁に添設する。この時補助ストライクＢの各鉤状係合部１９は、トロヨケＣ並びに固定裏板Ｄの各調整長孔２８，３３に係合するから、何らかの固定手段があれば、補助ストライクＢは固定裏板Ｄを介してトロヨケＣから外れない。
【００２５】
そこで、当該引戸１のフロント２と戸枠の縦枠６とのクリアランス７（召し合わせ引戸の場合には相手側引戸とのクリアランス）を考慮してトロヨケＣに対する補助ストライクＢの上下方向の位置を調整する。
しかる後（調整後）に、固着具３１をトロヨケＣの調整長孔２７に差し入れ、かつ、固定裏板Ｄのメネジ部３２に合わせて状態で螺締する。これにより、補助ストライクＢとトロヨケＣと固定裏板Ｄは、一体化して一つの部材となる。
【００２６】
次に上下の筒状ブロック１５，１５をストライク本体Ａの上下端部とトロヨケＣの上下の耳状取付け部との間に介設した状態でビス１１をストライク本体Ａの孔１０から通し、ストライク本体ＡとトロヨケＣとを一体的に連結する。
【００２７】
本発明のストライク装置Ｘは、図２で示すようにユニット化され、例えば図１で示すように戸枠の縦枠６の空洞部に装着される。図１は、クリアランス７を「５ｍｍ程度」に設定した例であるが、この場合建付けが正常であり、戸枠に歪みがない状態である。戸枠に歪みがない場合には、当然、鎌片５の先端部５ａはストライク本体Ａの枠状掛け止め部１７に係合する。
【００２８】
一方、図１４は戸枠に歪みが生じた（前者）或いは生じている（後者）場合である。図１４から明らかなように垂直状態のフロント２に対してストライク本体Ａは戸枠の歪みに対応して多少傾いている（ここでは、説明の便宜上、ストライク本体Ａが後方に２度傾いていることにする）。
しかして、前者の場合には、枠状掛け止め部１７に対する鎌片５の掛合具合が歪みに対応して不良になるので、ビス１１を緩めてストライク本体ＡをトロヨケＣから取り外し、次いで、固着具３１を緩めて補助ストライクＢの位置調整を微調整した後に再び固着具３１を締め、そして、ストライク本体ＡをトロヨケＣに固定する。また、後者の場合には、縦枠の歪み具合を検査した上で、予めトロヨケＣに対する補助ストライクＢの位置を調整して固定する。
【００２９】
【実施例】
本実施例では、ストライク本体Ａの窓部をＴ字型状に形成しているが、普通一般の縦長窓であっても良い。また固定裏板Ｄは固着具３１と共に、補助ストライクＢをトロヨケＣに固定する部材であるが、その固定方法や形態は任意に設計変更可能である。
【００３０】
【発明の効果】
以上の説明から明らかなように、本発明にあっては、次に列挙するような効果がある。
（１）戸枠が多少歪んでも、ストライクに対する鎌片のかかり具合が依然として良好である鎌片係合用のストライク装置を提供することができる。
（２）戸枠の平行四辺形的な歪みが生じても、場合によってはトロヨケに対する補助ストライクの上下方向の固定位置を再調整することにより、相変わらずそのままストライク本体を良好に使用することができる。
（３）ストライク本体或いはトロヨケに対する補助ストライクの調整を合理的な構成により容易に行なうことができる。
（４）補助ストライクＢの鎌片用端面コ字型の枠状掛け止め部１７は、左右の垂直側壁１６，１６の前部から突出する左右の対向側壁１７ａ，１７ａと、これらの対向側壁に交差状に連設する垂直壁１７ｂを有し、前記対向側壁１７ａ，１７ａの幅寸法Ｗは、鎌片５の厚さの２倍以上ないし５倍以内に設定されているので、例えば戸枠の歪に対応してストライク本体Ａが引戸の幅方向に横ずれしていても、鎌片５の先端部は、前記枠状掛け止め部１７に良好に係合する。
【図面の簡単な説明】
図１乃至図１４は本発明の一実施例を示す各説明図。図１５は従来技術の問題点を示す説明図。
【図１】実施形態の一例を示す概略説明図。
【図２】組み合わせた状態の斜視図。
【図３】分解斜視図。
【図４】組み合わせた状態の正面図。
【図５】図４の５−５線を基準とする一部概略断面説明図。
【図６】ストライク本体の正面図。
【図７】図６の７−７線断面図。
【図８】補助ストライクの正面図。
【図９】図８の９−９線断面図。
【図１０】トロヨケの正面図。
【図１１】図１０の１１−１１線を基準とする一部概略断面説明図。
【図１２】固定裏板の正面図。
【図１３】図１２の１３−１３線を基準とする一部概略断面説明図。
【図１４】戸枠に歪みが生じた場合に於いて、ストライク本体と鎌片との掛合具合を示す説明図。
【図１５】従来技術の問題点を示すための説明図。
【符号の説明】
１…引戸、２…フロント板、３…錠箱、４…裏板、５…鎌片、６…縦枠、７…クリアランス、Ｘ…ストライク装置、
Ａ…ストライク本体、１０…ビス用孔、１１…固着手段、１２…窓部、１３…幅広係合窓、１４…挿入窓、１５…筒状ブロック、Ｂ…補助ストライク、１６…左右の垂直側壁、１７…枠状掛け止め部、１７ａ…左右対向側壁、Ｗ…幅寸法、１７ｂ…垂直側壁、１８…間隙、１９…鉤状係合部、Ｃ…トロヨケ、２０…ケース部、２１…耳状取付け部、２２…メネジ孔、２３…固定側壁、２４…固定背面、２６…透孔、２７…垂直長孔、２８…調整長孔、Ｄ…固定裏板、３１…固着具、３２…メネジ部、３３…裏板調整長孔、３４…ストッパー。
【図１】
0004452006.tif 000002
【図２】
0004452006.tif 000003
【図３】
0004452006.tif 000004
【図４】
0004452006.tif 000005
【図５】
0004452006.tif 000006
【図６】
0004452006.tif 000007
【図７】
0004452006.tif 000008
【図８】
0004452006.tif 000009
【図９】
0004452006.tif 000010
【図１０】
0004452006.tif 000011
【図１１】
0004452006.tif 000012
【図１２】
0004452006.tif 000013
【図１３】
0004452006.tif 000014
【図１４】
0004452006.tif 000015
【図１５】
0004452006.tif 000016